(57)【特許請求の範囲】
【請求項１】
携帯電話の外部接続端子をコネクタに接続し、初期メモリ設定ボタンを操作することにより前記携帯電話から読み出される携帯電話の電話帳機能におけるメモリの一部又は全部から読み出される情報および自己の電話番号を含むメモリダイヤルを記憶手段に記憶し、開錠時にメモリダイヤル読み出しボタンを操作することにより前記コネクタに接続される携帯電話からメモリダイヤルを読み出し、前記記憶手段が記憶するメモリダイヤルと開錠時に携帯電話から読み出されるメモリダイヤルとを比較手段にて比較し、前記比較手段が一致を検出したときに信号出力ボタンが操作されると開錠信号を出力するメモリ部と、
扉が閉まると施錠してロック状態にすると共に前記メモリ部からの開錠信号に応答してロック状態を解除する開錠手段を含むロック部と、
を備えることを特徴とする電子錠。
【発明の詳細な説明】
【０００１】
【発明の属する技術分野】
本発明は、入力された信号に基づいて開錠するか否かを判断する電子錠に関するものであり、特に、携帯電話を使用して開錠する電子錠に関する。
【０００２】
【従来の技術】
従来、電気的な信号を用いて開錠する電子錠としては、テンキーの操作により暗唱番号を入力して照合し、合致すれば開錠するもの（特開平８−１００５５５号公報）、網膜や指紋を読み取って開錠するもの、ＩＣカードから読み出される情報により開錠するもの（特開平１１−５３４９０号公報）があった。
【０００３】
【発明が解決しようとする課題】
上記従来技術における暗唱番号を入力して開錠する電子錠においては、カギを持ち歩く必要はないが、暗唱番号を覚えたり、テンキーを入力操作することが必要であった。このため、桁数の多い数字を暗唱番号として設定すると、暗唱番号として覚えられなかったり、入力操作に時間がかかるという問題があった。このため、通常は、３〜４桁の数字を暗唱番号として設定していたので、照合する情報量が少なく、保安上、より複雑な情報で開錠するか否かを判断するものが望まれていた。
【０００４】
また、網膜や指紋で開錠する電子錠においては、網膜や指紋の複雑な形状を検出し、それを読み取って記憶しなければならないため、装置が高価で且つ大型化してしまうという問題があった。このため、利用範囲が限られていた。
【０００５】
更に、ＩＣカードで開錠する電子錠においては、比較的複雑な情報で開錠するか否かを判断するため、一般的に保安上の問題は生じないが、通常のカギを携帯するのと同様にＩＣカードを開錠のためだけに携帯しなければならなかった。
【０００６】
本発明は、上記従来技術の課題に鑑みなされたもので、開錠のみに使用する機材、機器を携帯することなく、常時携帯することを前提とした機器から出力される複雑な情報により開錠する電子錠を提供するものである。
【０００７】
【課題を解決するための手段】
本発明の電子錠は、携帯電話の外部接続端子をコネクタに接続し、初期メモリ設定ボタンを操作することにより前記携帯電話から読み出されるメモリダイヤルを記憶手段に記憶し、開錠時にメモリダイヤル読み出しボタンを操作することにより前記コネクタに接続される携帯電話からメモリダイヤルを読み出し、前記記憶手段が記憶するメモリダイヤルと開錠時に携帯電話から読み出されるメモリダイヤルとを比較手段にて比較し、前記比較手段が一致を検出したときに信号出力ボタンが操作されると開錠信号を出力するメモリ部と、扉が閉まると施錠してロック状態にすると共に前記メモリ部からの開錠信号に応答してロック状態を解除する開錠手段を含むロック部と、を備えている。
【０００８】
この電子錠におけるメモリダイヤルは、携帯電話の電話帳機能におけるメモリの一部又は全部から読み出される情報および自己の電話番号を含むものとなっている。
【０００９】
【発明の実施の形態】
本発明の電子錠は、携帯電話のメモリダイヤルを利用して開錠するか否かを判断するものとなっている。即ち、この電子錠は記憶手段を有しており、ここに携帯電話から読み出されたメモリダイヤルを記憶する。また、この電子錠には比較手段が設けられており、記憶手段に記憶されたメモリダイヤルと開錠時に入力される携帯電話からのメモリダイヤルとを比較する。そして、この比較手段が一致を検出すると、開錠手段が開錠することになる。
【００１０】
携帯電話は、常時携帯することを前提とする機器であるため、これを利用することにより、開錠のためだけに何等かの機器を所持する必要はなくなる。また、携帯電話の使用者が個々に設定するメモリダイヤルは、偶然であっても同一となる場合は事実上全くないものであり、暗唱番号のように新たな番号等を入力設定して意識的に暗号化する必要もない。このため、比較的複雑で保安上も十分な情報でありながら、簡単に設定、入力することが可能となる。
【００１１】
【実施例】
図１は本発明の一実施例に係る電子錠の機能構成を示す機能説明図、図２はその電子錠の外観を示す斜視図である。本実施例における電子錠は、図１に示すように、記憶手段２、比較手段４、開錠手段６を有している。
【００１２】
記憶手段２は、メモリ回路からなり、携帯電話からのメモリダイヤルを記憶するものであり、本実施例においては初期登録者を判別するための情報としてメモリダイヤルを記憶するものとなっている。
【００１３】
比較手段４は、マイコンの一機能からなり、記憶手段２に記憶されたメモリダイヤルと開錠時に入力される携帯電話のメモリダイヤルとを比較して一致検出するものである。携帯電話のメモリダイヤルは、通常、短縮番号（００〜９９等）毎に電話番号と名前等を対応させた情報であり、個人個人がそれぞれ設定するものであるため、他人の携帯電話のメモリダイヤルの内容と完全に一致することは実際には起こり得ない。従って、記憶手段２に記憶されたメモリダイヤルと同一となるメモリダイヤルは、初期登録時に使用した携帯電話以外にはないことになる。このことから、比較手段４が一致を検出すると、初期登録時に登録した携帯電話を携帯する初期登録者と判断することができる。
【００１４】
また、開錠手段６は、本実施例においては機械的に閉まるとロックするロック部１０（図２）に含まれており、比較手段４が一致検出すると、それに応答してモータ、ソレノイド等のアクチュエータを作動させてロックを解除し開錠するものとなっている。
【００１５】
上記電子錠は、外観上、記憶手段２と比較手段４を含むメモリ部８と、開錠手段６を含むロック部１０とから構成されている。
【００１６】
メモリ部８には、携帯電話１２の外部接続端子を接続するコネクタ１４と、記憶手段２に携帯電話１２が出力するメモリダイヤルを記憶させるための初期メモリ設定ボタン１６と、開錠時に携帯電話１２からメモリダイヤルを読み出すためのメモリダイヤル読み出しボタン１８と、比較手段４が一致を検出したときにロック部１０の開錠手段６を作動させる開錠信号を出力させる信号出力ボタン２０と、が設けられている。
【００１７】
ロック部１０は、扉２２等に取り付けられており、扉２２が閉まると機械的又は電気的に施錠してロック状態にすると共に、メモリ部８からの開錠信号に応答してロックを解除して開錠するものとなっている。
【００１８】
次に、上記構成からなる電子錠におけるメモリダイヤルの記憶と開錠の手順を説明する。はじめに、携帯電話１２の外部接続端子をメモリ部８のコネクタ１４に接続し、初期メモリ設定ボタン１６を操作する。これにより、携帯電話１２からメモリダイヤルが読み出され、記憶手段２に記憶される。
【００１９】
上記のように初期登録を行い、その後、開錠する場合には、携帯電話１２の外部接続端子をコネクタ１４に接続し、今度はメモリダイヤル読み出しボタン１８を操作する。これにより、携帯電話１２からメモリダイヤルが読み出され、比較手段４にて記憶手段２に記憶されたメモリダイヤルと比較することになる。その結果、携帯電話１２から読み出されたメモリダイヤルと記憶手段２が記憶するメモリダイヤルとが一致すると、比較手段４はその一致を検出する。ここで信号出力ボタン２０を操作すると、ロック部１０の開錠手段６によりロックが解除され、開錠される。
【００２０】
尚、上記実施例においてはメモリ部８に操作ボタンを設けているが、マイコンの機能により初期登録から開錠までの動作を全て自動制御しても良い。
【００２１】
また、メモリ部８にテンキーや表示部を設けて入力の変更や初期登録をキー操作で行うと共にその状態を表示部で確認することができるようにしても良い。
【００２２】
更に、携帯電話１２から読み出されるメモリダイヤルとしては、携帯電話の電話帳機能におけるメモリの一部又は全部から読み出される情報だけでなく、自己の電話番号も同時に読み出して組み合わせても良い。特に、自己の電話番号は携帯電話毎にそれぞれ異なる番号が設定されているため、仮に電話帳機能に同一のメモリダイヤルを記憶させたとしても自己の電話番号まで変更しなければ全ての情報が一致することはないので、事実上、全く同一の情報を出力する携帯電話は存在しないことになり、保安上好ましい。
【００２３】
また、本実施例においては、ロック部１０が、通常、機械的又は電気的にロック状態になるように設定しているが、初期登録時にロック状態になるように設定しても良い。更に、この場合、開錠時に記憶手段２の記憶内容をクリアーし、初期登録が行われるまでロック解除状態にすることも可能である。
【００２４】
【発明の効果】
本発明によれば、事実上、携帯電話のメモリダイヤルが同一となる携帯電話を所持している人がいないことに着目し、メモリダイヤルを登録して比較することで、初期登録を行った携帯電話を所持する人物であるか判断している。これにより、開錠のみに使用するカード等の機器を携帯する必要がなくなり、また、暗唱番号を覚えたり、暗唱番号を入力する必要もなくなる。
【００２５】
また、携帯電話のメモリダイヤルの情報量は複雑で多く、そのメモリダイヤルを直接読み出して記憶させる以外に同一の内容の情報を作り上げることは困難であり、セキュリティシステムとしての信頼性も高めることができる。
【図面の簡単な説明】
【図１】本発明の一実施例に係る電子錠の機能構成を示す機能説明図である。
【図２】図１に示す電子錠の外観を示す斜視図である。
【符号の説明】
２          記憶手段
４          比較手段
６          開錠手段
８          メモリ部
１０        ロック部
【図１】
0003846687.tif 000002
【図２】
0003846687.tif 000003